(57)【特許請求の範囲】
【請求項１】
上下の面が電極となり断面がほぼ台形状のボタン形電池が枠体の開口部から内部に装着され、この枠体がプリント基板に実装される基板実装用ボタン形電池ホルダにおいて、前記装着される前記ボタン形電池の前記下面を斜面部で案内するストッパを前記開口部の片方の入口に設けるとともに、この開口部の片方と他方に前記ボタン形電池の電極と接触する負極端子と正極端子を収納し、前記斜面部を経て挿入される前記ボタン形電池の側面が当接し案内する接触部を前記開口部の他方の負極端子または正極端子に形成したことを特徴とする基板実装用ボタン形電池ホルダ。
【請求項２】
前記開口部から挿入された前記ボタン形電池の前記上面と側面でなす角部が当接して、前記ボタン形電池の逆極性挿入を防止する凸部を、前記開口部の他方に形成したことを特徴とする請求項１に記載の基板実装用ボタン形電池ホルダ。
【請求項３】
前記プリント基板に半田付けされる前記負極端子の半田付け部または正極端子半田付け部の一方を前記開口部の底部の一方の外側に設け、前記負極端子の半田付け部または正極端子の半田付け部の他方を前記開口部の開口側の他方の外側に設けて、横置き実装形としたことを特徴とする請求項１または請求項２に記載の基板実装用ボタン形電池ホルダ。
【発明の詳細な説明】
【０００１】
【発明の属する技術分野】
本発明は、プリント基板に実装され、かつ、ボタン形電池が装着される基板実装用ボタン形電池ホルダに関するものである。
【０００２】
【従来の技術】
図７は、従来の基板実装用ボタン形電池ホルダ（以下、単に電池ホルダと表す。）の斜視図を示し、図８は、この電池ホルダにボタン形電池を挿入する過程を示す縦断面図であって、図９は、ボタン形電池の側面図を示す。
【０００３】
図７および図８に示すように、従来の電池ホルダ１３は、ボタン形電池１を挿入するための開口部１４を上部に有し、自動実装機によってプリント基板１５に実装される。
【０００４】
また、この電池ホルダ１３は、底部の片側の負極側接触端子１６と底部の他側の正極側接触端子１７を有し、この負極側接触端子１７の下端の負極端子半田付け部１７ａと正極側接触端子１６の下端の正極端子半田付け部１６ａを介してプリント基板１５に実装される。
【０００５】
このうち、負極側接触端子１６は、電池ホルダ１３の底部の内側から上方に傾斜して突出した接触端子部１６ｂを有する。
【０００６】
電池ホルダ１３に装着されるボタン形電池１は、図９に示すように、ほぼ円盤状で側面形状がほぼ台形状をなし、この台形状の下面側が正極１ｂ，１ｃで上面側が負極１ａとなっており、図８の矢印Ａで示すように、開口部１４の斜め上方から正極１ｂ側を下向きにして挿入された後、さらに下方に押し下げられることによって、電池ホルダ１３の内部に横に収納される。
【０００７】
この電池ホルダ１３は、ボタン形電池１の外側面を固定するために対称的に対置する弧状の保持壁（ハウジング）１８Ａ、１８Ｂを有し、さらに、この保持壁１８Ａ、１８Ｂの内側からの上方への脱出を防ぐために、この保持壁１８Ａ、１８Ｂの上端の内周側に固定金具端子１９Ａ、１９Ｂ、１９Ｃ、１９Ｄを等間隔に配置しており、これらの固定金具端子１９Ａ、１９Ｂ、１９Ｃ、１９Ｄは、それぞれ正極側接触端子１７に接続されている。
【０００８】
ボタン形電池１と電池ホルダ１３の接触方法は、電池ホルダ１３の底面から上方に突出する接触端子部１６ｂにボタン形電池１の負極１ａを接触させるとともに、ボタン形電池１の側面の正極１ｃと上面の正極１ｂを、電池ホルダ１３の固定金具端子１９Ａ、１９Ｂ、１９Ｃ、１９Ｄにそれぞれ接触させる。
【０００９】
【発明が解決しようとする課題】
しかしながら、このように構成された従来の電池ホルダでは、以下のような問題がある。
【００１０】
すなわち、ボタン形電池１を上方から挿入して、下方へ押し下げる際に、このボタン形電池１の側面の電極１ｃがこのボタン形電池１の脱出を防ぐための固定金具端子１９Ａ、１９Ｂ、１９Ｃ、１９Ｄの内側面に接触して、これらの固定金具端子１９Ａ、１９Ｂ、１９Ｃ、１９Ｄの内側部分が下方に湾曲するおそれがあった。
【００１１】
そのため、これらの固定金具端子１９Ａ、１９Ｂ、１９Ｃ、１９Ｄの湾曲を回避するために、これらの固定金具端子１９Ａ、１９Ｂ、１９Ｃ、１９Ｄの内側への突出長さを抑えると、ボタン形電池１との重なり部分が短くなるので、プリント基板１５にかかる衝撃でボタン形電池１が脱落するおそれがあった。
【００１２】
そこで本発明の目的は、プリント基板への実装面積を増やすことなく、ボタン形電池の脱落を防ぐことのできる基板実装用ボタン形電池ホルダを得ることである。
【００１３】
【課題を解決するための手段】
前記課題を解決するために本発明の請求項１に対応する発明では、上下の面が電極となり断面がほぼ台形状のボタン形電池が開口部から内部に装着され、かつ、プリント基板に実装される基板実装用ボタン形電池ホルダにおいて、装着されるボタン形電池の下面を斜面部で案内するストッパを開口部の片方の入口に設けるとともに、この開口部の片方と他方にボタン形電池の電極と接触する負極端子と正極端子を収納し、斜面部を経て挿入されるボタン形電池の側面が当接しかつ案内する接触部を開口部の他方の負極端子または正極端子に形成したことを特徴とする。
【００１４】
なお、開口部から挿入されるボタン形電池の上面と側面でなす角部が当接して、ボタン形電池の逆極性挿入を防止する凸部を開口部の他方に形成することが好ましく、また、プリント基板に半田付けされる負極端子の半田付け部または正極端子の半田付け部の一方を開口部の底部の一方の外側に設け、負極端子の半田付け部または正極端子の半田付け部の他方を開口部の他方の外側に設けて、横置形の基板実装用ボタン形電池ホルダとしてもよい。
【００１５】
【発明の実施の形態】
以下、本発明の基板実装用ボタン形電池ホルダの一実施の形態を図面を参照して詳述する。
【００１６】
図１は、本発明の基板実装用ボタン形電池ホルダの斜視図を示し、図２は平面図を示し、図３は縦断面拡大図を示す。また、図４は、ボタン形電池を装着した状態の縦断面図を示し、図５は、ボタン形電池の逆極性の挿入を防止する作用を示す縦断面図を示す。
【００１７】
図１ないし図４において、プリント基板４に自動実装された電池ホルダ２は、外形が従来の電池ホルダと異なり、立方体状であって、絶縁樹脂成形品の枠体３の上部から底部に亘ってボタン形電池１を挿入するための開口部３ａを形成し、この開口部３ａの片方の入口に対して、内面側に斜面を形成したストッパ７を備えるとともに、開口部３ａの入口の他方に凸部３ｂを形成している。
【００１８】
さらに、この電池ホルダ２は、枠体３の底面側から片側に装着される負極側接触端子５と、この負極側接触端子５と対置して枠体３の他側に装着される正極側接触端子６を備えている。
【００１９】
このうち、負極側接触端子５は、下端のプリント基板４に半田付けされる負極端子半田付け部５ａと上部のくの字状の負極側接触部５ｂを有し、正極側接触端子６も、下端のプリント基板４に半田付けされる正極半田付け部６ａと上部のくの字状の正極側接触部６ｂを有し、この正極側接触部６ｂの接触面の位置は、枠体３の底部からの高さが正極側接触部５ｂの接触面と比べて低くなっている。
【００２０】
次に、このように構成された基板実装用ボタン形電池ホルダにボタン形電池１を装着する手順を図５(ａ)を参照して説明する。
【００２１】
この図５(ａ)に示すように、ボタン形電池１は、電池ホルダ２のストッパ７の上方から正極１ｂ側をストッパ７の斜面に接触させて開口部３ａに挿入し、ボタン形電池１の正極１ｃを負極側接触部５ｂに接触させながら下方にスライドさせるとともに、垂直方向に徐々に姿勢を変えた後、下方に押圧され、さらに負極端子１ａが負極側接触部５ｂによって案内されて、電池ホルダ２の内部に縦に挿入される。
【００２２】
さらに、この基板実装用ボタン形電池ホルダは、図５(ｂ)に示すように、ボタン形電池１の正極１ａと負極１ｂの二面でなす角部と、ストッパ７の位置及びその角度並びに負極側接触部５ｂの位置及びその形状により、ボタン形電池１の極性の逆向きの挿入を前記角部によって防止する。
【００２３】
なお、ボタン形電池１と電池ホルダ２の接触方法は、図４に示すように、ボタン形電池１の上面側の負極１ａを負極側接触部５ｂに接触させるともに、ボタン形電池１の底面側の正極１ｂを正極側接触部６ｂに接触させる。
【００２４】
これにより、ボタン形電池１の負極１ａを、電池ホルダ２の負極側接触部５ｂの下方の凹部８に正極側接触部６ｂの弾性による反力で固定し、ボタン形電池１の正極１ｃの下端を、電池ホルダ２の底面の凹部９に当接させるとともに、ボタン形電池１の正極１ｃの上端面に対置するストッパ７の下面によって、このボタン電池１の電池ホルダからの脱出を防ぐ。
【００２５】
なお、このストッパ７は、ボタン形電池１を挿入した後、このボタン形電池１の脱出を防ぐために十分な幅がこのストッパ７の下端面に確保されている。
【００２６】
次に、本発明の基板実装用ボタン形電池ホルダの第２の実施の形態について図６を参照して説明する。
【００２７】
図６に示すように、横置形の電池ホルダ１０をプリント基板４に実装する負極側接触端子１１の半田付け部１１ａおよび正極側接触端子部１２の半田付け部１２ａの取付位置と形状を変えることにより、プリント基板４に対して横向きにも実装可能で、プリント基板４からの高さが制約される条件に採用する基板実装用ボタン形電池ホルダを提供することができる。
【００２８】
すなわち、図６に示すように、これらの半田付け部１１ａ，１２ａは、電池ホルダ１０の底部側の片側に対して、所定の間隔で底面と直行方向に設けるとともに、これに対応して、開口部３ａ側の片側に固定用端子２０を追加する。
【００２９】
【発明の効果】
以上詳述したように、本発明の基板実装用ボタン形電池ホルダによれば、上下の面が電極となり断面がほぼ台形状のボタン形電池が枠体の開口部から内部に装着され、この枠体がプリント基板に実装される基板実装用ボタン形電池ホルダにおいて、装着されるボタン形電池の上面を斜面部で案内するストッパを開口部の片方の入口に設けるとともに、この開口部の片方と他方にボタン形電池の電極と接触する負極端子と正極端子を収納し、斜面部を経て挿入されるボタン形電池の側面が当接しかつ案内する接触部を開口部の他方の負極端子または正極端子に形成して、電池ホルダの上面からボタン形電池をプリント基板に縦に挿入するようにしたので、プリント基板への実装面積を抑えるとともに、振動等によるボタン形電池の脱出も防ぐことのできる基板実装用ボタン形電池ホルダを得ることができる。
【００３０】
また、ボタン形電池を２本の接触端子のみで保持するため、電池ホルダのコストダウンを図ることもできる。さらに、開口部の他方の凸部によって逆極性の装着を防止できるため、安全性と作業性に優れ、かつ、品質管理の容易な基板実装用ボタン形電池ホルダを得ることができる。
【図面の簡単な説明】
【図１】本発明の基板実装用ボタン形電池ホルダの第１の実施の形態を示す斜視図。
【図２】本発明の基板実装用ボタン形電池ホルダの第１の実施の形態を示す平面図。
【図３】図２の縦断面拡大図。
【図４】本発明の基板実装用ボタン形電池ホルダにボタン形電池が装着された状態を示す縦断面図。
【図５】本発明の基板実装用ボタン形電池ホルダの作用を示す縦断面図であり、(ａ)は、ボタン電池の装着を開始した状態を示し、(ｂ)は、ボタン形電池の極性を誤って逆にして装着を開始した状態を示す。
【図６】本発明の基板実装用ボタン形電池ホルダの第２の実施の形態を示す縦断面図。
【図７】従来の基板実装用ボタン形電池ホルダの一例を示す斜視図。
【図８】従来の基板実装用ボタン形電池ホルダの一例を示す縦断面図。
【図９】従来および本発明の基板実装用ボタン形電池ホルダに装着されるボタン形電池を示す側面図。
【符号の説明】
１  ボタン形電池
２  基板実装用ボタン形電池ホルダ
３  枠体
３ａ  開口部
４  プリント基板
５  負極側接触端子
５ａ  負極端子半田付け部
５ｂ  負極側接触部
６  正極側接触端子
６ａ  正極端子半田付け部
６ｂ  正極側接触部
７  ストッパ
８、９  凹部
【図１】
0003667686.tif 000002
【図２】
0003667686.tif 000003
【図３】
0003667686.tif 000004
【図４】
0003667686.tif 000005
【図５】
0003667686.tif 000006
【図６】
0003667686.tif 000007
【図７】
0003667686.tif 000008
【図８】
0003667686.tif 000009
【図９】
0003667686.tif 000010